(57)【要約】      （修正有）【課題】複数画面表示状態での分割した画像情報の表示画像を、全体として見易く表示する。【解決手段】複数の表示部に跨って表示情報を表示する場合に、複数の表示部の各々に配される表示情報の各々の画像領域を、複数の表示部の画面接合部に接する部分から画面接合部と直交する方向に向かって画面接合部の幅に対応して確保した画像補正領域の幅分だけ削り取る段階と、削り取った後の画像である、表示情報の各々の縮小画像を得る段階と、縮小画像の画像情報の各々を複数の表示部の各々に表示する段階とを備える。【選択図】図２
2014191532.tif 000002
【特許請求の範囲】
【請求項１】
複数の表示部に跨って表示情報を表示する場合に、前記複数の表示部の各々に配される前記表示情報の各々の画像領域を、前記複数の表示部の画面接合部に接する部分から前記画面接合部と直交する方向に向かって前記画面接合部の幅に対応して確保した画像補正領域の幅分だけ削り取る段階と、
前記削り取った後の画像である、前記表示情報の各々の縮小画像を得る段階と、
前記縮小画像の画像情報の各々を前記複数の表示部の各々に表示する段階と
を備える画像表示方法。
【請求項２】
前記画像補正領域の幅は、使用者によって設定される
請求項１に記載の画像表示方法。
【請求項３】
前記画像補正領域の幅を、予め決定していた所定の幅とする
請求項１に記載の画像表示方法。
【請求項４】
前記画像補正領域の幅を、前記画面接合部の幅とする
請求項１に記載の画像表示方法。
【請求項５】
前記表示情報の表示映像は、携帯端末装置の回転に伴って回転する
請求項１から４のいずれか一項に記載の画像表示方法。
【請求項６】
請求項１から５のいずれか一項に記載の画像表示方法が適用される携帯端末装置。
【請求項７】
前記端末装置は装置体の折り畳みが可能なものである
請求項６に記載の携帯端末装置。
【発明の詳細な説明】
【技術分野】
【０００１】
本発明は、画面表示方法及び携帯端末装置に関する。
【背景技術】
【０００２】
近年、スマートホン等の携帯端末装置の分野では、表示画面を大画面に拡大する傾向が加速している。また、この分野では、携帯可能なタブレット型端末装置の普及も進んできている。携帯端末装置における表示画面の拡大傾向により、端末装置の本体自体の物理的なサイズも大きくする必要が生じ、その結果、携帯端末装置の携帯性には問題が生じてくる。
【０００３】
そこで、携帯端末装置等の使用者（以下、単に「使用者」と略称する）が実際に携帯端末装置等を使用する状況に応じて画面サイズを広げることができるように構成する工夫などが実施されている。このような工夫が盛り込まれた携帯端末装置の実例としては、図５、図６に示すような、一般的な携帯端末装置（例えば、ヒンジ１によって装置本体の折り畳みが可能な２画面折畳み式スマーホトン）が挙げられる。
【０００４】
このような背景に関連する技術としては、様々なものが知られている（例えば、特許文献１〜４参照。）。
【０００５】
例えば、特許文献１には、各種電子機器の表示装置に関し、表示される画像を見易くする技術が記載されている。具体的には、独立した複数の表示ユニットをそれぞれ着脱自在に接合できる構造にすることにより、さらに大きな１枚の画面の表示装置とする。この表示装置は蓋部に固着・接続され、本体部筐体に内蔵された制御部により表示制御される。この場合、画面一杯に一枚の画像を表示すること、あるいは、画面を表示ユニット毎に分割してマルチ表示画面とすることもできる。
【０００６】
また、例えば、特許文献２には、コンピュータを内蔵する携帯用の電子機器に適用して好適な表示装置が記載されている。具体的には、縮小幅決定部により、画像が画面間で分断されていることを判別して、入力画像の一部に対して縮小処理を加える。
【０００７】
また、例えば、特許文献３には、例えば折り畳み式の複数の表示画面を備え、表示すべきデータを当該複数の表示画面に分割して表示するようにした携帯端末などの電子機器に関する技術が記載されている。即ち、折り畳み式にした複数の表示画面間に繋ぎ部がある場合でも、文字や画像を視覚的に違和感なく表示する技術である。具体的には、表示対象としてメインメモリから第１表示メモリ、繋ぎ部領域に対応する非表示メモリ、第２表示メモリに展開される文字・画像データに注目する。即ち、この文字・画像データのうち、第１表示メモリの下端からはみ出す以下の文字データについては第２表示メモリの先頭から展開して繋ぎ部領域に隠されないようにする。また、その一方で、第１表示メモリの下端からはみ出して非表示メモリに跨ってしまう画像データについては、そのまま第１表示メモリと、非表示メモリとに連続展開し、その一部画像が繋ぎ部領域に隠されても間延びしないようにする。
【０００８】
また、例えば特許文献４には、マルチディスプレイシステムに関し、文字を含む画像を見た目に自然にマルチディスプレイに表示することができる技術が記載されている。具体的には、ＣＰＵは、１のディスプレイのブロック画像に含まれる、他のディスプレイと隣接する端の部分であって、所定の幅を有する辺縁部に文字が含まれていないときには、１のディスプレイのブロック画像から辺縁部が削除された画像を設定する。この画像は、１のディスプレイのスクリーンに表示する画像として設定される。グラフィックコントローラは、設定された画像を各ディスプレイのスクリーン全体に表示されるように拡大し、拡大された画像を各ディスプレイのスクリーンに表示させる表示制御部を備える。
【先行技術文献】
【特許文献】
【０００９】
【特許文献１】特開平１０−６３１９５号公報
【特許文献２】特開２００６−３９８２０号公報
【特許文献３】特開２００７−１２２６４９号公報
【特許文献４】特開２０１２−１５９７１６号公報
【発明の概要】
【発明が解決しようとする課題】
【００１０】
しかしながら、上述の特徴的な構成を備えたスマートホン等の携帯端末装置の場合には、画像表示ができない領域が生じることが有る。即ち、このような携帯端末装置では、ヒンジ機構の制約とＬＣＤ表示の額縁機構の制約から、展開時に於ける表示画面の接合部において、図６に示す通り、画像表示ができない領域４（中央部の黒い領域）が少なからず存在するのである。
【００１１】
例えば、展開時の２画面を使った全画面表示方法として、図７に示すように元の画像情報画面を中心線で単純に２分割し、画面接合部（画面中央の黒線部）を除く両方の画面に画像情報を分配して表示をさせていた。この場合、画像情報の欠落は無くすことができるが、画面接合部（機構制約による非表示領域）の領域が元の図形に余分に足されることから、全体的な表示画像が横広がりの状態となり視覚的に不自然に感じられる。
【００１２】
特に、動画像等を閲覧する際などには、２画面を使った全画面表示方法は、使用者にとって見辛いと感じられる場合も多々有り、この結果、使用者の利便性は必ずしも満足させられていなかった。即ち、図７に示す２画面を使った全画面表示方法では、上述のとおり、実際の文字が実際よりも横に引き伸ばされた形で表示されるので、使用者にとっては見辛いと感じられていたのである。
【００１３】
本発明の目的は、上述した課題を解決する画像表示方法及び携帯端末装置を提供することにある。
【課題を解決するための手段】
【００１４】
上記課題を解決するために、本発明の第１の形態によると、携帯端末装置の画像表示方法であって、複数の表示部に跨って表示情報を表示する場合に、複数の表示部の各々に配される表示情報の各々の画像領域を、複数の表示部の画面接合部に接する部分から画面接合部と直交する方向に向かって画面接合部の幅に対応して確保した画像補正領域の幅分だけ削り取る段階と、削り取った後の画像である、表示情報の各々の縮小画像を得る段階と、縮小画像の画像情報の各々を複数の表示部の各々に表示する段階とを備える。
【００１５】
本発明の第２の形態は、本発明の第１の形態の画像表示方法が適用される携帯端末装置である。
【００１６】
なお、上記の発明の概要は、本発明の特徴の全てを列挙したものではない。また、これらの特徴群のサブコンビネーションもまた、発明となり得る。
【発明の効果】
【００１７】
以上の説明から明らかなように、この発明によっては、複数画面表示状態での分割した画像情報の表示画像を、全体として見易くする効果が得られる。
【００１８】
また、表示内容によっては、画像情報の削除が好ましくない場合にも対応できる効果が得られる。
【図面の簡単な説明】
【００１９】
【図１】一実施形態に係る携帯端末装置１０のブロック構成図である。
【図２】一実施形態に係る携帯端末装置の２画面での画像表示方法の説明図である。
【図３】他の実施形態に係る携帯端末装置の２画面での画像表示方法の説明図である。
【図４】他の実施形態に係る携帯端末装置の２画面での画像表示方法の説明図である。
【図５】一般的な携帯端末装置の折り畳み時の表示部の外観図である。
【図６】一般的な携帯端末装置の折り畳み展開時の表示部の外観図である。
【図７】携帯端末装置の２画面での表示方法の説明図である。
【図８】一実施形態に係る携帯端末装置１０の動作を示すフローチャート図である。
【発明を実施するための形態】
【００２０】
以下、発明の実施の形態を通じて本発明を説明するが、以下の実施形態は特許請求の範囲にかかる発明を限定するものではなく、また、実施形態の中で説明されている特徴の組み合わせの全てが発明の解決手段に必須であるとは限らない。
【００２１】
図１は、一実施形態に係る携帯端末装置１０のブロック構成図である。同図に示す携帯端末装置１０は、制御部１０１、通信部１０２、カメラ１０３、画像補正部１０４、及び入出力部１０５を備える。但し、この他に、ＧＰＳ受信装置、アプリケーション実行部、インターフェース部などを備えても良い。
【００２２】
以下、本発明の一実施形態に係る携帯端末装置の機能を説明する。制御部１０１は、携帯端末装置１０全体の構成要素を制御する。通信部１０２は、データの暗号化・復号化、変調・復調といった信号処理を行い、携帯端末装置１０を携帯網や無線ＬＡＮを介してインターネット接続する。カメラ１０３は、被写体を撮影して画像信号に変換する。入出力部１０５は、入力部で使用者の操作によってデータを入力し、出力部で画像や音声データを出力する。入出力部１０５は、表示情報を複数の表示部に跨って表示する場合に、表示情報の各々の画像領域を、この複数の表示部の各々に表示する。
【００２３】
画像補正部１０４は、本発明の特徴的な構成要素であり、上記複数の表示部の画面接合部に接する部分から画面接合部と直交する方向に向かって画面接合部の幅に対応して確保した画像補正領域の幅分だけ削り取る機能を有する。また、削り取った後の画像である、表示情報の各々の縮小画像を得る機能を有する。
【００２４】
図８は、一実施形態に係る携帯端末装置１０の動作を示すフローチャート図である。以下、図１を参照しながら、図８に示すフローチャートを使用して、一実施形態に係る携帯端末装置１０の動作を説明する。
【００２５】
まず、画像補正部１０４は、制御部１０１の指示に基づいて、表示すべき画像情報を取得する（ステップＳ１）。次に、画像補正部１０４は、取得した画像情報を上記複数の表示部用の画像領域に分配する（ステップＳ２）。次に、画像補正部１０４は、上記複数の画像領域の画像情報から、表示部の画面接合部に接する部分から画面接合部と直交する方向に向かって画面接合部の幅に対応して確保した画像補正領域の幅分だけ削り取る補正を行う（ステップＳ３）。最後に、画像補正部１０４は、上記補正済の複数の画像領域の画像情報を制御部１０１に送出する（ステップＳ４）。この後、制御部１０１は、この補正済の画像情報に基づいて、入出力部１０５の出力部に表示指令を送出する。
【００２６】
図２は、一実施形態に係る携帯端末装置の２画面での画像表示方法の説明図である。本実施形態では、図２に示す通り、そのままで２分割した画像情報の画面接合部領域として、機構制約に伴う非表示幅に見合った幅で画像情報を削り取る画像補正領域Ｗを充当することで、２画面表示状態での表示画像を見易くすることを特徴とする。
【００２７】
人間は、本能的に、見えていない領域を補間できる性質を有するので、表示される画像情報のサイズは、この補間された領域の長さ分だけ拡大されることになる。例えば、図７に示す例では、英文字の「Ａ」の横幅が広がっているように見えている。
【００２８】
この対策として、本実施形態では、機構制約に伴う非表示幅に見合った幅で、故意に画像情報の一部を削り取って表示する。また、この画像情報の一部を削り取る幅については、使用者の好みに応じて設定可能としている。これは、表示内容によっては、画像情報の削除が好ましくない場合もあるためである。さらに、本実施形態では、画像情報の一部を削り取る機能のＯＮ／ＯＦＦ自体も、使用者によって設定が可能であるようにしている。
【００２９】
以下、図２に例示した携帯端末装置の画像表示方法について説明する。本実施形態に係る携帯端末装置の画像表示方法は、具体的には、例えば、折り畳みが可能な携帯電話、携帯画像端末装置、タブレット型ＰＣ（パーソナルコンピュータ）に適用することが可能である。
【００３０】
本実施形態に係る携帯端末装置の画像表示方法は、図２に示すように、表示する画像情報（ここでは英文字の「Ａ」）は、分割領域１Ａと分割領域２Ａとに分割して表示する。但し、複数の表示領域の画面接合部（画面中央の黒線部）に接する部分から該画面接合部と直交する方向に向かって、該画面接合部の幅に対応して確保した画像補正領域Ｗの幅分だけ削り取る。より具体的には、表示する画像情報（ここでは英文字の「Ａ」）の表示画面の中央部には画像の欠落領域として、画像情報を削り取る部分（即ち画像補正領域Ｗ）を設ける。また、元の画像から当該欠落領域を除いた画像（即ち、横幅の縮まった画像）については、上記画面接合部を除く画像領域に表示するものである。
【００３１】
これにより、上記の横幅の縮まった画像は、視覚的には元の横幅を持った画像に戻すことができる。図２では、この欠落領域を、上述のとおり、画像補正領域Ｗとして示している。なお、上記の画像補正領域Ｗの幅（即ち、画像情報を削り取る幅分）は、画面接合部領域の幅と一致させることができる。
【００３２】
本実施形態に係る携帯端末装置の画像表示方法を適用して表示される表示画面では、使用者にとって、画像情報が全体像として不自然に引き伸ばされたような感覚は生じない。例えば、図２に例示する英文字の「Ａ」について評価すると、その実際の表示画像では、図７に示す表示方法で表示される英文字の「Ａ」のような横幅の目障りな拡張感は感じられなくなっていることが理解される。
【００３３】
なお、本実施形態に係る携帯端末装置の画像表示方法が適用される携帯端末装置は、装置本体を折畳んだ状態での外観については、図５に示す一般的な携帯端末装置の外観と同様であって良い。図５において、ヒンジ１は、装置本体を開閉するための機構部である。また、図５において、表示画面２は、使用者が装置本体を折畳んだ状態で使用する場合の閲覧可能な表示画面である。この装置本体を折畳んだ状態では、画像情報は通常の表示方法によって表示画面２に表示して良い。
【００３４】
また、本実施形態に係る携帯端末装置の画像表示方法が適用される携帯端末装置は、装置本体を展開させた状態での外観については、図６に示す一般的な携帯端末装置の外観と同様であって良い。図６において、表示画面３は、この装置本体の展開状態で新たに閲覧可能となった表示画面（即ち拡張表示画面）である。しかしながら、この装置本体を展開させた状態では、前述のとおり、ヒンジ機構とＬＣＤ機構との制約から、画面表示ができない領域４が生じる。よって、この場合の画像表示方法については、上述の本実施形態に係る携帯端末装置の画像表示方法を適用するものとする。
【００３５】
本実施形態に係る携帯端末装置の画像表示方法によれば、図２に示す通り、複数に分割した画像情報の画面接合部領域に対し、機構制約に伴う非表示幅に見合った幅で画像情報を削り取る画像補正領域Ｗを設ける。また、元の画像から当該画像補正領域Ｗを除いた画像（即ち、横幅の縮まった画像）については、画面接合部（画面中央の黒線部）を除く画像領域に表示する。
【００３６】
これにより、上記の横幅の縮まった画像は、視覚的には元の横幅を持った画像に戻すことができるので、複数画面表示状態での分割した画像情報の表示画像を、全体として見易くする効果が得られる。このような効果が生じる理由は、元々、人間は、見えていない領域を補間して視認する本能的な性質を有しているため、機構制約に伴う非表示幅に見合った幅で、故意に画像情報を削った方が、見易く感じられるのである。
【００３７】
また、画像情報を削り取る領域（画像補正領域Ｗ）の幅については、使用者の好みに応じて可変にできるように構成する。さらに、本効果を与える機能のＯＮ／ＯＦＦ自体も使用者によって設定可能に構成することで、表示内容によっては、画像情報の削除が好ましくない場合にも対応できる効果が得られる。
【００３８】
（その他の実施の形態）：図３，４は、他の実施形態に係る携帯端末装置の画像表示方法の説明図である。同図では、装置本体を９０度回転させた場合の画像表示方法を示している。この場合も、上述の実施形態と同様に、図３，４に示すような画像補正領域Ｗを設けるものとする。これにより、上述の実施形態と同様に使用者にとって見易い表示画面とすることができる。なお、図３に示す表示方法では、画像の上半分と下半分とで微妙な段差が生じることがあるので、図４では、このことを考慮した画像補正領域Ｗを設けることにより、この段差を無くし、滑らかな表示を可能にしている。画像表示方法では、図３に示すような段差が必ず生じていた。
【符号の説明】
【００３９】
１  ヒンジ
２  表示画面
３  表示画面（拡張画面）
４  画面表示ができない領域
１Ａ  分割領域
２Ａ  分割領域
１０  携帯端末装置
Ｗ  画像補正領域
１０１  制御部
１０２  通信部
１０３  カメラ
１０４  画像補正部
１０５  入出力部
【図１】
2014191532.tif 000003
【図２】
2014191532.tif 000004
【図３】
2014191532.tif 000005
【図４】
2014191532.tif 000006
【図５】
2014191532.tif 000007
【図６】
2014191532.tif 000008
【図７】
2014191532.tif 000009
【図８】
2014191532.tif 000010